(57)【要約】【課題】シロアリの侵入を確実に防止でき、床下配管に十分な流れ勾配を付与することもできる基礎貫通配管構造を提供する。【解決手段】建屋の基礎１を貫通するように基礎１に埋設されたさや管２と、さや管２に挿通された挿通配管３と、さや管２の屋内側の開口端における挿通配管３との隙間を塞ぐ蓋体４と、を備え、さや管２と挿通配管３との隙間を防蟻部材６で塞ぐと共に、基礎１とさや管２との境界部分を覆うようにシート状の防蟻部材５を基礎１の屋内側の表面１ａからさや管２の蓋体４に亘って密着させて配設した基礎貫通配管構造とする。基礎表面１ａから蓋体４に亘って密着させたシート状防蟻部材５によって、基礎１とさや管２との境界部分からのシロアリの侵入を防止し、挿通配管の上流側端の高さを低くできるので、屋内配管７の下流側端の基礎表面１ａからの高さを低くして屋内配管７に十分な流れ勾配を付与する。【選択図】図１
2014074273.tif 000002
【特許請求の範囲】
【請求項１】
建屋の基礎を貫通するように基礎に埋設されたさや管と、さや管に挿通された挿通配管と、さや管の屋内側の開口端における挿通配管との隙間を塞ぐ蓋体と、を備え、さや管と挿通配管との隙間を防蟻部材で塞ぐと共に、基礎とさや管との境界部分を覆うようにシート状の防蟻部材を基礎の屋内側の表面からさや管の蓋体に亘って密着させて配設したことを特徴とする基礎貫通配管構造。
【請求項２】
シート状の防蟻部材が、物理的防蟻層と防蟻剤を含んだ接着性防蟻層との積層体であり、接着性防蟻層によって、基礎の屋内側の表面からさや管の蓋体に亘って密着していることを特徴とする請求項１に記載の基礎貫通配管構造。
【請求項３】
物理的防蟻層が硬度４０以上の合成ゴムシートであることを特徴とする請求項２に記載の基礎貫通配管構造。
【発明の詳細な説明】
【技術分野】
【０００１】
本発明は、建屋の基礎を貫通する配管構造に関し、更に詳しくは、シロアリの侵入を防止できるように工夫した基礎貫通配管構造に関する。
【背景技術】
【０００２】
シロアリが建屋の床下に侵入すると、建屋に甚大な被害を与える恐れがあるため、建屋の基礎を貫通する配管工事を行う際には、シロアリが侵入しないように万全の防蟻対策を施すことが重要である。
【０００３】
そのような防蟻対策を施した基礎貫通配管構造として、例えば、建屋の基礎にさや管を貫通させて埋設し、このさや管に配管を挿通すると共に、さや管の屋内側開口端をフードで覆い、フード内部のシロアリ封じ込めエリアにシロアリ侵入阻止粒子を充填したものが知られている（特許文献１）。
【先行技術文献】
【特許文献】
【０００４】
【特許文献１】特開２００３−３２１８８３号公報
【発明の概要】
【発明が解決しようとする課題】
【０００５】
前記特許文献１の基礎貫通配管構造は、基礎とさや管との隙間や、さや管と挿通配管との隙間を通って侵入するシロアリが、フード内部のシロアリ侵入阻止粒子を充填したシロアリ封じ込めエリアに封じ込められるので、建屋の床下へのシロアリの侵入を一応防止することはできるが、フードの下端縁と基礎が密着しにくいため、その間からシロアリが床下へ侵入する恐れがある。
【０００６】
また、さや管の屋内側開口端をフードで覆い、このフードから突き出す挿通配管の上流側端に床下配管の下流側端を接続すると、床下配管の下流側端の高さが嵩高いフードの高さ以上となるため、床下配管の全長が長い場合には床下配管に十分な流れ勾配を付けることが難しくなるという問題もある。
【０００７】
本発明は上記事情の下になされたもので、その解決しようとする課題は、シロアリの侵入を確実に防止でき、床下配管に十分な流れ勾配を付与することもできる基礎貫通配管構造を提供することにある。
【課題を解決するための手段】
【０００８】
上記課題を解決するため、本発明に係る基礎貫通配管構造は、建屋の基礎を貫通するように基礎に埋設されたさや管と、さや管に挿通された挿通配管と、さや管の屋内側の開口端における挿通配管との隙間を塞ぐ蓋体と、を備え、さや管と挿通配管との隙間を防蟻部材で塞ぐと共に、基礎とさや管との境界部分を覆うようにシート状の防蟻部材を基礎の屋内側の表面からさや管の蓋体に亘って密着させて配設したことを特徴とするものである。
【０００９】
本発明の基礎貫通配管構造においては、シート状の防蟻部材が、物理的防蟻層と防蟻剤を含んだ接着性防蟻層との積層体であり、接着性防蟻層によって、基礎の屋内側の表面からさや管の蓋体に亘って密着していることが好ましい。ここに「物理的防蟻層」とはシロアリが食い破ることのできない防蟻層を意味し、また「接着性」とは粘着性をも含む概念である。
上記の物理的防蟻層は硬度４０以上の合成ゴムシートであることが好ましい。
【発明の効果】
【００１０】
本発明の基礎貫通配管構造のように、さや管の屋内側の開口端における挿通配管との隙間を塞ぐ蓋体を設け、基礎とさや管との境界部分を覆うようにシート状の防蟻部材を基礎の屋内側の表面からさや管の蓋体に亘って密着させて配設した構造であると、シート状の防蟻部材で基礎とさや管との境界部分を覆う際に、さや管の蓋体があることでシート状の防蟻部材をさや管の蓋体と基礎の表面に安定的にしっかりと密着させることができ、基礎とさや管との境界部分をシート状の防蟻部材で確実に塞ぐことができるので、基礎とさや管との境界部分からシロアリが建屋の床下に侵入するのを確実に防止することができる。そして、本発明の基礎貫通配管構造では、さや管と挿通配管との隙間も防蟻部材で塞いでいるため、この隙間からのシロアリの侵入も確実に防止することができる。
また、本発明の基礎貫通配管構造は、シート状の防蟻部材で基礎とさや管との境界部分を覆う作業が容易であるため、特許文献１のようにさや管の屋内側開口端をフードで覆って内部のシロアリ封じ込めエリアにシロアリ侵入阻止粒子を充填するものに比べると、施工性がはるかに良い。しかも、本発明に用いるシート状の防蟻部材やさや管の蓋体は、特許文献１のフードのように嵩高いものではないので、蓋体から突き出す挿通配管の上流側端の基礎表面からの高さを低く設定し、この挿通配管の上流側端に接続される床下配管の下流側端の基礎表面からの高さを低くして、床下配管に十分な流れ勾配を付与することができる。
【００１１】
特に、シート状の防蟻部材が、物理的防蟻層と防蟻剤を含んだ接着性防蟻層との積層体であると、接着性防蟻層によってシート状の防蟻部材が基礎の屋内側の表面からさや管の蓋体に亘って強固に密着するので、基礎とさや管との境界部分からシロアリが防蟻部材と基礎表面との間および防蟻部材と蓋体との間を通って侵入するのを確実に防止でき、更に、物理的防蟻層によってシロアリがシート状の防蟻部材を食い破って侵入するのも確実に防止することができる。
その場合、物理的防蟻層が硬度４０以上の合成ゴムシートであると、シロアリの食害を阻止できるので、シロアリが物理的防蟻層を食い破って侵入するのを確実に防止することができる。
【図面の簡単な説明】
【００１２】
【図１】本発明の一実施形態に係る基礎貫通配管構造を示す断面図である。
【図２】同基礎貫通配管構造の平面図である。
【図３】同基礎貫通配管構造の拡大部分断面図である。
【図４】本発明の他の実施形態に係る基礎貫通配管構造の拡大部分断面図である。
【図５】本発明の更に他の実施形態に係る基礎貫通配管構造の拡大部分断面図である。
【図６】（ａ），（ｂ）は端部の形状がそれぞれ異なるシート状の防蟻部材の端部拡大断面図である。
【発明を実施するための形態】
【００１３】
以下、図面を参照して、本発明に係る基礎貫通配管構造の実施形態を説明する。
【００１４】
図１は本発明の一実施形態に係る基礎貫通配管構造を示す断面図、図２は同基礎貫通配管構造の平面図、図３は同基礎貫通配管構造の拡大部分断面図である。
【００１５】
この実施形態に係る基礎貫通配管構造は、図１〜図３に示すように、建屋のコンクリート基礎１、さや管２、挿通配管３、蓋体４、シート状の防蟻部材５、リング状の防蟻部材６、床下配管７、屋外排水管８などの主要部材を備えている。
【００１６】
さや管２は、図１に示すように、合成樹脂製の容器状の縦さや管部２ａと管状の横さや管部２ｂとからなるもので、横さや管部２ｂの上流側端が縦さや管部２ａの下部側面の接続口２ｃに差込み接続されることによって一体化されている。このさや管２は、コンクリート基礎１を貫通するようにコンクリート基礎１に埋設されており、縦さや管部２ａの上端の開口がコンクリート基礎１の屋内側の水平な表面１ａに露出すると共に、横さや管部２ｂの下流側端の開口がコンクリート基礎１の屋外側の側面１ｂに露出している。
【００１７】
上記さや管２には、合成樹脂製の挿通配管３が挿通されている。この挿通配管３は、二つの９０度大曲がりエルボ３ａ，３ｂと横管３ｃとからなるものであって、二つの９０度大曲がりエルボ３a，３ｂは、その上下に対向する接続口に差し込まれた短管３ｄを介して「Ｓ」字形に接続されており、横管３ｃの上流側端は、下側の９０度大曲がりエルボ３ｂの下流側端の接続口に差込み接続されている。そして、上側の９０度大曲がりエルボ３ａは、コンクリート基礎１の屋内側表面１ａの上方に突き出しており、この突き出した９０度大曲がりエルボ３ａの上流側端の接続口に、床下配管７の下流側端が差込み接続されている。また、横管３ｃの下流側端は、直管継手３ｅを介して屋外側排水管８の上流側端と接続されている。
【００１８】
さや管２の屋内側の開口端、即ち、縦さや管部２ａの上端開口には、この上端開口における挿通配管３の９０度大曲がりエルボ３ａとの隙間を塞ぐ合成樹脂製の蓋体４（９０度大曲がりエルボ３ａが突き出す貫通穴を有する蓋体４）が被着されており、蓋体４の上面とコンクリート基礎１の屋内側表面１ａが実質的に面一になっている。そして、図１，図２に示すように、シート状の防蟻部材５がさや管２とその周囲のコンクリート基礎１との境界部分を覆うように、コンクリート基礎１の屋内側表面１ａからさや管２の蓋体４に亘って密着して配設されている。
【００１９】
このシート状の防蟻部材５は、シロアリが食い破ることのできない物理的防蟻層５ａと、防蟻剤を含んだ接着性防蟻層５ｂとを上下に積層一体化したものであって、下側の接着性防蟻層５ｂによってシート状の防蟻部材５がコンクリート基礎１の屋内側表面１ａからさや管２の蓋体４に亘って強固に密着している。そのため、シロアリが、さや管２とコンクリート基礎１との境界部分から、防蟻部材５とコンクリート基礎表面１ａとの間および防蟻部材５と蓋体４との間を通って屋内に侵入するのを、密着した接着性防蟻層５ｂによって確実に防止することができ、更に、シロアリが防蟻部材５を食い破って屋内に侵入するのを、上側の物理的防蟻層５ａによって確実に防止することができる。
【００２０】
なお、シロアリが接着性防蟻層５ｂを侵食しながら、防蟻部材５とコンクリート基礎表面１ａとの間および防蟻部材５と蓋体４との間を通って防蟻部材５の端から屋内に侵入するのを一層確実に防止するため、図６（ａ）に示すシート状の防蟻部材５のように、シロアリが食い破ることのできない物理的防蟻層５ａで接着性防蟻層５ｂの端面まで被覆してもよく、また、図６（ｂ）に示すシート状の防蟻部材５のように、接着性防蟻層５ｂの端部の厚さを徐々に薄くして、物理的防蟻層５ａの端とコンクリート基礎表面１ａ（又は蓋体）との隙間をなくすか、或いは、該隙間をシロアリが通過できない程度の小さな隙間としてもよい。
【００２１】
接着性防蟻層５ｂは、防蟻剤（例えば、ホウ酸、ホウ酸誘導体、ホウ酸化合物などや、除虫菊に代表されるピレスロイド薬剤。）を含み、コンクリート基礎表面１ａと反応して一体化する非加硫型粘着塑性体で形成することが好ましい。そのような非加硫型粘着塑性体の代表例としては、コンクリートとの接着性を有するイソブテンとイソプレンのゴム状共重合体であるブチルゴムを再生化したブチル再生ゴムを主成分とし、当該ブチル再生ゴムを単独もしくは、天然ゴムあるいはスチレンブタジエンゴム、アクリルニトリルゴム等の合成ゴムの１種もしくは２種以上のブレンドを行なったポリマーを主成分とし、粘着付与材、補強材、充填剤、軟化剤、老化防止剤等を混合成型してなる非加硫型粘着塑性体を挙げることができる。接着性防蟻層５ｂを防蟻剤入りの上記非加硫型粘着塑性体で形成すると、接着性防蟻層５ｂがコンクリート基礎表面１ａと反応、一体化してシート状の防蟻部材５がコンクリート基礎表面１ａから剥離することがないので、シロアリがシート状の防蟻部材５とコンクリート基礎表面１ａとの間を通って侵入するのを一層確実に防止でき、また、非加硫型粘着塑性体は合成樹脂製の蓋体４との密着性にも優れているので、シロアリがシート状の防蟻部材５と蓋体４との間を通って侵入するのも確実に防止できる。
なお、接着性防蟻層５ｂは、防蟻剤を含んだシーリング材や接着剤で形成しても勿論よい。
【００２２】
接着性防蟻層５ｂの厚さは特に限定されないが、コンクリート基礎表面１ａや蓋体４との敷設面積による密着性や接着強度を考慮すると、１ｍｍ以上が好ましく、シロアリが接着防蟻層５ｂを食い破って侵入しようとすることを考慮すると厚い方がよいので、２ｍｍ以上であるとより好ましい。なお、接着性防蟻層５ａの厚さの上限は５ｍｍ程度であり、それ以上厚くしても材料の無駄使いとなる。
【００２３】
シート状防蟻部材５の上側の物理的防蟻層５ａは、シロアリが食い破ることのできない層であり、例えば、硬度（ＪＩＳ  Ｋ  ６２５３によるタイプＡデュロメーターの硬度）が４０以上の合成ゴムシートで形成することが好ましい。このような合成ゴムシートの物理的防蟻層５ａを設ける場合は、その厚さを１〜５ｍｍ程度、特に３ｍｍ前後とするのが好ましい。物理的防蟻層５ａは、シロアリが食い破ることのできない金属製シートや合成樹脂製シート、或いは、シロアリが通り抜けできないメッシュ状の金属製シートなどで形成しても勿論よいが、シート状防蟻部材５の取扱性、貼着施工性などを考慮すると、上記の合成ゴムシートで形成することがベストである。
【００２４】
この実施形態では、シート状防蟻部材５として、図１，図２に示すように、挿通配管３の９０度大曲がりエルボ３ａが突き出す貫通穴５ｃを形成した、蓋体４よりも面積がかなり大きい方形シート状の防蟻部材を使用しているが、シート状防蟻部材５の平面形状及び大きさは、さや管２の縦さや管部２ａとその周囲のコンクリート基礎１との境界部分（コンクリート基礎表面１ａにおける境界部分）を覆うことができる平面形状及び大きさであれば特に限定されるものではなく、例えば、蓋体４より一回り大きい相似形状とするなど、所望の平面形状および大きさとなし得るものである。但し、シロアリがシート状防蟻部材５とコンクリート基礎表面１ａとの間、及び、シート状防蟻部材５と蓋体４との間を通って屋内に侵入するのを確実に防止することを考慮すると、シート状防蟻部材５の平面形状及び大きさは、上記境界部分からシート状防蟻部材５のコンクリート基礎１側の端部までの最短距離、及び、上記境界部分からシート状防蟻部材５の蓋体４側の端部までの最短距離が、いずれも少なくとも５０ｍｍ以上、好ましくは８０ｍｍ以上、更に好ましくは１００ｍｍ以上となるような平面形状及び大きさとすることが重要である。
【００２５】
図１，図３に示すように、挿通配管３の横管３ｃと屋外側排水管８を接続する直管継手３ｅの外周面には、シーリングパッキンを兼ねたリング状の防蟻部材６が嵌合され、接着剤等で接着固定されている。このリング状の防蟻部材６は、シロアリが食い破ることのできない前述の硬度４０以上の合成ゴムや合成樹脂からなる物理的防蟻部材であり、横さや管部２ｂの下流側開口の近傍箇所において、横さや管部２ｂと挿通配管３の下流側端の直管継手３ｅとの隙間が、このリング状防蟻部材６で閉塞されている。従って、さや管２と挿通配管３の隙間からのシロアリの侵入も、リング状防蟻部材６によって防止できるようになっている。
【００２６】
以上のように、この実施形態に係る基礎貫通配管構造は、物理的防蟻層５ａと接着性防蟻層５ｂを上下に積層したシート状防蟻部材５でコンクリート基礎１とさや管２の縦さや管部２ａとの境界部分を覆う際に、縦さや管部２ａの上端開口に蓋体４が被着されていることで、シート状防蟻部材５をその接着性防蟻層５ｂによって蓋体４とコンクリート基礎表面１ａに安定的にしっかりと密着させることができ、コンクリート基礎１とさや管２の縦さや管部２ａとの境界部分をシート状防蟻部材５で確実に塞ぐことができるので、シロアリがコンクリート基礎１と縦さや管部２ａとの境界部分からコンクリート基礎表面１ａとシート状防蟻部材５との間及び蓋体４とシート状防蟻部材５との間を通って建屋の床下に侵入したり、シロアリがシート状防蟻部材５の物理的防蟻層５ａを食い破って床下に侵入したりするのを、確実に防止できる。そして、さや管２の横さや管部２ｂと挿通配管３ｃの直管継手３ｅとの隙間もリング状の防蟻部材６で塞いでいるため、この隙間からのシロアリの侵入も確実に防止できる。
【００２７】
また、この実施形態の基礎貫通配管構造は、シート状防蟻部材５の接着性防蟻層５ｂを、コンクリート基礎表面１ａから蓋体４に亘って密着させて、コンクリート基礎１と縦さや管部２ａとの境界部分をシート状防蟻部材５で覆う作業が容易であるため、施工性が良く、しかも、シート状防蟻部材５や蓋体４は平坦で嵩高いものではないので、図１に示すように、蓋体４とシート状防蟻部材５から突き出す挿通配管３の９０度大曲がりエルボ３ａの上流側端の高さ（コンクリート基礎表面１ａからの高さ）を低く設定することにより、この９０度大曲エルボ３ａの上流側端の接続口に接続される床下配管７の下流側端の基礎表面からの高さを低くして、床下配管７に十分な流れ勾配を付与することができる。
【００２８】
なお、この実施形態の基礎貫通配管構造は、コンクリート基礎表面１ａと蓋体４とが実質的に面一になっているが、コンクリート基礎表面１ａと蓋体４との間に段差がある場合でも、シート状防蟻部材５が段差に沿って接着性防蟻層５ｂによりコンクリート基礎表面１ａと蓋体４に安定的にしっかりと密着し得ることは言うまでもない。
【００２９】
図４は、本発明の他の実施形態に係る基礎貫通配管構造の拡大部分断面図である。
【００３０】
この実施形態の基礎貫通配管構造は、シート状防蟻部材５の蓋体４側の端部を延長し、この延長端部５ｄの接着性防蟻層５ｂを挿通配管３の９０度大曲がりエルボ３ａの外周面に密着させたものである。このような基礎貫通配管構造は、防蟻部材５がシート状であるから施工が可能になるのである。
その他の構成は、図１〜図３に示す実施形態の基礎貫通配管構造と同様であるので、図４において同一部材に同一符合を付し、重複説明を省略する。
【００３１】
上記のように、９０度大曲がりエルボ３ａの外周面にシート状防蟻部材５の延長端部５ｄを密着させると、シロアリが前記のリング状防蟻部材６を食い破ってさや管２と挿通配管３との隙間に侵入するような事態が生じたとしても、シロアリが蓋体４と９０度大曲がりエルボ３ａの間を通って屋内に侵入するのを、シート状防蟻部材５の延長端部５ｄによって確実に防止できる利点がある。
【００３２】
図５は本発明の更に他の実施形態に係る基礎貫通配管構造の拡大部分断面図である。
【００３３】
この実施形態の基礎貫通配管構造は、シロアリが食い破ることのできない硬度４０以上の前記合成ゴムや合成樹脂からなる蛇腹筒状の防蟻部材５０によって、挿通配管３の９０度大曲がりエルボ３ａのシート状防蟻部材５から突き出した部分を囲繞被覆し、蛇腹筒状の防蟻部材５０の両端部内面に形成された接着性防蟻層５ｂ，５ｂを、９０度大曲がりエルボ３ａの外周面に密着させると共に、蛇腹筒状の防蟻部材５０の下端をシート状防蟻部材５に隙間なく密接させたものである。このような蛇腹筒状の防蟻部材５０においては、接着性防蟻層５ｂ，５ｂの幅寸法を少なくとも５０ｍｍ以上として、接着強度を高めることが好ましい。また、蛇腹筒状の防蟻部材５０の下端部内面の接着性防蟻層５ｂは、シート状防蟻部材５の上面に密着させるようにしてもよい。
その他の構成は、図１〜図３に示す実施形態の基礎貫通配管構造と同様であるので、図５において同一部材に同一符合を付し、重複説明を省略する。
【００３４】
図５に示す実施形態の基礎貫通配管構造は、シロアリがさや管２と挿通配管３との隙間に侵入するような事態がたとえ生じたとしても、シロアリが更に蓋体４と９０度大曲がりエルボ３ａの間を通って屋内に侵入するのを、蛇腹筒状の防蟻部材５０によって確実に防止できる利点がある。
【符号の説明】
【００３５】
１    コンクリート基礎
１ａ  コンクリート基礎の屋内側の表面
２    さや管
２ａ  縦さや管部
２ｂ  横さや管部
３    挿通配管
３ａ，３ｂ  ９０度大曲がりエルボ
３ｃ  横管
３ｅ  直管継手
４    さや管の蓋体
５    シート状の防蟻部材
５ａ  物理的防蟻層
５ｂ  接着性防蟻層
５ｄ  延長端部
６    リング状の防蟻部材
７    床下配管
８    屋外側排水管
５０  蛇腹筒状の防蟻部材
【図１】
2014074273.tif 000003
【図２】
2014074273.tif 000004
【図３】
2014074273.tif 000005
【図４】
2014074273.tif 000006
【図５】
2014074273.tif 000007
【図６】
2014074273.tif 000008